(57)【要約】【課題】所定の拡開型アンカーを建造物躯体上に張設されたの稍広い設置孔に手前側から挿入して板材裏側で拡開固定させて板材に被支持部材を支持させるようにし、稍広い設置孔を利用したのにも拘わらず、被支持部材を正確な位置に配置でき、充分な支持耐力を保持させることができ、且つ容易に施工することができる支持装置を提供すること。【解決手段】支持装置は、垂直螺孔７を有する基部棒片８および拡開維持可能な腕片９，９および誘導紐５，５を備えた拡開型アンカー１と、拡開型アンカーの基部棒片を直径方向に嵌合する凹状切欠１３，１４を備えた円筒部１０および円板部１２を備えたスペーサ２と、スペーサを嵌入する厚肉の台座３と、被支持部材Ｌの取付孔Ｔから台座およびスペーサを貫通して拡開型アンカーの垂直螺孔に締め付けられる取付螺子４とを具備するものである。【選択図】図２
2005133430.tif 000002
【特許請求の範囲】
【請求項１】
中央部に垂直螺孔を備えると共に該垂直螺孔を挟んで一対の誘導紐が取着された基部棒片の長さ方向両端に折り畳み可能且つ拡開状態保持可能な両腕片が枢着された拡開型アンカーを、建造物躯体に張設した板材の設置孔に手前側から挿入して該板材裏側で拡開固定することにより該拡開型アンカーに止着される被支持部材を該板材に支持させる支持装置において、該拡開型アンカーの該基部棒片を直径方向に嵌合する凹状切欠を前端に備えると共に該設置孔を挿通できる円筒部の後端に中央通孔を有すると共に該設置孔を閉塞する大きさの円板部が固着されたスペーサと、中央透孔を有すると共に該スペーサの該円板部を嵌入する円形凹部が前方に凹設された厚肉の台座と、被支持部材の取付孔から該台座の該中央透孔と該スペーサの該中央通孔とを挿通して該拡開型アンカーにおける該基部棒片の該垂直螺孔に締め付けられる取付螺子とを具備することを特徴とする支持装置。
【請求項２】
前記スペーサの前記凹状切欠は、前記円筒部の前端縁において該円筒部の中心に対称な周上に位置する一組の深い凹状切欠と、一組の該深い凹状切欠と周上等距離をおいて位置する一組の浅い凹状切欠とよりなることを特徴とする請求項１記載の支持装置。
【請求項３】
前記台座における前記円形凹部の外周には環状凹部が凹設され、該環状凹部にはパッキングが嵌合されることを特徴とする請求項１または請求項２記載の支持装置。
【請求項４】
前記台座の中央部分前方には該台座の肉厚まで突出した前記中央透孔を含む突出円筒部が形成され、前記スペーサにおける中央部分後方には該突出円筒部を嵌合する前記中央通孔を含む円形凹陥部が形成されることを特徴とする請求項１乃至３のいずれか１項記載の支持装置。
【請求項５】
前記台座における前記中央透孔の中心に対称な透孔周縁上の対向する位置には、一対の前記誘導紐を嵌合する一組の誘導溝が形成されていることを特徴とする請求項１乃至４のいずれか１項記載の支持装置。
【発明の詳細な説明】
【技術分野】
【０００１】
本発明は、建造物等に設置される器物の支持装置、特に建造物において建造物躯体に張設される内装用板材に手摺や補助手摺を取り付ける場合に使用する支持装置に関する。
【背景技術】
【０００２】
最近の建造物施工において、建造物躯体上に張設されるサンドイッチパネル、プラスターボード等の内装用板材は、広い屋内空間を確保するために、建造物躯体と板材との間隔を可能な限り狭く配置するように板張り工事が行われる。したがって板材に手摺（補助手摺を含む。）等を設置する場合に、従来行っていたように折り畳み可能且つ拡開状態保持可能な拡開型アンカーを、建造物躯体に張設した板材の設置孔に手前側から挿入して板材裏側で拡開固定することにより拡開型アンカーに止着される手摺等の被支持部材を板材に支持させる支持装置（例えば、特許文献１参照。）を採用して施工する際に、挿入途中の拡開型アンカーの一部が板材裏の空間が狭いために設置孔の縁や建造物躯体につかえてしまい、挿入が不可能になってしまう。挿入可能となるように設置孔を大径にすると、挿入はできたものの拡開型アンカーの設置位置が定まらず、位置の定まらない拡開型アンカーを使用した支持装置では、板材と圧着して支持させるために必要な拡開型アンカーにおける腕長が得られているか否か不確実となるから、所要の支持耐力を期待することが困難となる。
【０００３】
【特許文献１】特開２０００−１４５０８９号公報
【発明の開示】
【発明が解決しようとする課題】
【０００４】
本発明が解決しようとする課題は、建造物躯体上に板材が張設され、建造物躯体と板材との間隔が狭く配置されている状態で、所定の拡開型アンカーを板材の稍広い設置孔に手前側から挿入して板材裏側で拡開固定させて板材に被支持部材を支持させるようにし、稍広い設置孔を利用したのにも拘わらず、被支持部材を正確な位置に配置でき、充分な支持耐力を保持させることができ、且つ容易に施工することができる支持装置を提供することにある。
【課題を解決するための手段】
【０００５】
前記課題を解決するために、本発明では、中央部に垂直螺孔を備えると共に該垂直螺孔を挟んで一対の誘導紐が取着された基部棒片の長さ方向両端に折り畳み可能且つ拡開状態保持可能な両腕片が枢着された拡開型アンカーを使用し、この拡開型アンカーを、建造物躯体に張設した板材の稍広い設置孔に手前側から挿入して該板材裏側で拡開固定するようにし、稍広い設置孔の余分な空間を埋めると共に拡開型アンカーを所定位置に正確に位置決めするために、拡開型アンカーの該基部棒片を直径方向に嵌合する凹状切欠を前端に備えると共に該設置孔を挿通できる円筒部の後端に中央通孔を有すると共に該設置孔を閉塞する大きさの円板部が固着されたスペーサを使用すると共に、板材に固定された被支持部材に加えられる応力を板体に充分に伝達するために、中央透孔を有すると共に該スペーサの該円板部を嵌入する円形凹部が前方に凹設された厚肉の台座を具備することを特徴的な手段としている。
【発明の効果】
【０００６】
本発明は、次のような効果を奏する。
Ａ．建造物躯体と板材との間隔が狭く、拡開型アンカーを板材の裏側に挿入するために稍広い設置孔を板材に穿孔しなければならない場合でも、先端に拡開型アンカーを嵌合するスペーサを設置孔に挿入することによって、拡開型アンカーを偏った位置に配置させることなく、被支持部材の支持のために最適な位置を自動的に確保出来るので稍広い設置孔を設けたことによる取付強度の低下を招くことがない上に、拡開型アンカーの方向を被支持部材の支持のために最適な角度に設定することが可能である。
Ｂ．スペーサに嵌合される厚肉の台座は取付部付近の板材を補強し、被支持部材に加えられる応力を変形等の発生なしに板材に伝達させることができる。
【０００７】
Ｃ．スペーサの先端に一組の深い凹状切欠と、一組の浅い凹状切欠との２種類を設ければ、板材の厚さに応じて拡開型アンカーを正確に位置決めすることが可能である。
Ｄ．台座の中央部分前方に、台座の肉厚まで突出した突出円筒部が形成され、スペーサにおける中央部分後方には突出円筒部を嵌合する円形凹陥部が形成される場合には、台座とスペーサとの相対的な配置をより正確に保持することができる。
Ｅ．台座に環状凹部が凹設され、パッキングが嵌合されれば、支持装置箇所の防水を確保できる。
Ｆ．台座の中央透孔に一対の誘導紐を嵌合するための一組の誘導溝が形成されている場合には、拡張型アンカーの腕が延長する方角を台座設置後に屋内側から容易に確認することができる。
【発明を実施するための最良の形態】
【０００８】
本発明の支持装置は、中央部に垂直螺孔を備えると共に該垂直螺孔を挟んで一対の誘導紐が取着された基部棒片の長さ方向両端に折り畳み可能且つ拡開状態保持可能な両腕片が枢着された拡開型アンカーを、建造物躯体に張設した板材の設置孔に手前側から挿入して該板材裏側で拡開固定することにより該拡開型アンカーに止着される被支持部材を該板材に支持させる支持装置において、該拡開型アンカーの該基部棒片を直径方向に嵌合する凹状切欠を前端に備えると共に該設置孔を挿通できる円筒部の後端に中央通孔を有すると共に該設置孔を閉塞する大きさの円板部が固着されたスペーサと、中央透孔を有すると共に該スペーサの該円板部を嵌入する円形凹部が前方に凹設された厚肉の台座と、被支持部材の取付孔から該台座の該中央透孔と該スペーサの該中央通孔とを挿通して該拡開型アンカーにおける該基部棒片の該垂直螺孔に締め付けられる取付螺子とを具備することを主な特徴とする。
【０００９】
また建造物躯体に張設する板材の厚さに応じて拡開型アンカーを正確に位置決めするために、被支持部材前記スペーサの前記凹状切欠は、前記円筒部の前端縁において該円筒部の中心に対称な周上に位置する一組の深い凹状切欠と、一組の該深い凹状切欠と周上等距離をおいて位置する一組の浅い凹状切欠との２種類を設けたことを特徴とする。
【００１０】
さらに支持装置箇所の防水を確保するために、前記台座における前記円形凹部の外周には環状凹部が凹設され、該環状凹部にはパッキングが嵌合されることを特徴とする。
【００１１】
また台座とスペーサとの相対的な配置をより正確に保持するために、前記台座の中央部分前方には該台座の肉厚まで突出した前記中央透孔を含む突出円筒部が形成され、前記スペーサにおける中央部分後方には該突出円筒部を嵌合する前記中央通孔を含む円形凹陥部が形成されることを特徴とする。
【００１２】
さらに拡張型アンカーの腕が延長する方角を台座取付後に屋内側から確認可能とするために、前記台座における前記中央透孔の中心に対称な透孔周縁上の対向する位置には、一対の前記誘導紐が嵌合する一組の誘導溝が形成されていることを特徴とする。
【実施例】
【００１３】
本発明の実施例について添付図面を参照して説明する。
図１には建造物躯体に張設されたサンドイッチパネルやプラスターボード等の板材Ｂに被支持部材Ｌとしての手摺が支持された本発明に係る支持装置の外観が示されている。このように本発明の支持装置は、手摺や補助手摺を内装板に支持させる場合に使用する支持装置として好適である。支持装置で屋内側から見えるのは被支持部材Ｌが接合している円形をした台座３のみであるが、図２の分解図に示されるように支持装置は拡開型アンカー１、スペーサ２、台座３、取付螺子４、拡開型アンカー１に取り付けられた誘導紐５、パッキング６等より構成されている。拡開型アンカー１の主要部は金属製であり、スペーサ２および台座３は金属または硬質合成樹脂で製造される。
【００１４】
最初に拡開型アンカー１について説明する。拡開型アンカー１は、図３および図４に詳細に示されるように断面コ字状に成型されその中央部に垂直螺孔７を備えた基部棒片８の両端に一方向には折り畳み状態に回動するが他方向には基部棒片８の長さ方向と一致した方向に拡開した状態迄は回動するがそれ以上は回動せず拡開状態を維持出来る腕片９，９が枢着されている。そして拡開型アンカー１は板体の手前側から板材Ｂの設置孔に挿入して装着し、装着後に板材Ｂ裏に存在するの拡開型アンカー１が落下しないように、基部棒片８の腕片９，９の折り畳み状態に回動する側において垂直螺孔７を跨いで長さ方向に間隔を置いて一対の誘導紐５，５が結び付けられている。一対の誘導紐５，５は単に拡開型アンカー１の落下防止ができるばかりでなく、板材Ｂの手前側から拡開型アンカー１における腕片９，９の拡開方向も調節することができる。
【００１５】
図５乃至図８には建造物躯体Ｓ上に張設された板材Ｂに設置孔Ｈを通じて拡開型アンカー１を装着する工程が示されている。前記したように最近の建造物施工では、建造物躯体Ｓ上に張設される板材Ｂは、広い屋内空間を確保するために、建造物躯体Ｓと板材Ｂとの間隔を可能な限り狭く配置するように板張り工事が行われる。したがって拡開型アンカー１を板材Ｂに装着する場合に、板材Ｂ裏側に広い空間が存在するならば、拡開型アンカー１の幅程度の直径を有する設置孔Ｈが穿孔されていれば挿通可能であるが、図示のように建造物躯体Ｓと板材Ｂの間隔が狭くなっている場合には、拡張された直径を有する設置孔Ｈが穿孔されている必要がある。拡開型アンカー１を設置孔Ｈから挿入するには、先ず図５に示されるのように一方の腕片９を折り曲げて設置孔Ｈに挿通し、次いで図６に示されるように基部棒片８を傾斜させながら挿通して送り込み、更に他方の腕片９を傾斜させながら挿通して送り込み、次いで誘導紐５，５を手前に引けば、図７に示されるように拡開型アンカー１をほぼ正規の設置位置に移動させることができる。そしてこの状態から図８に示されるようにスペーサ２を設置孔Ｈに装着する工程に移る。
【００１６】
スペーサ２は、図２、図９、図１０、図１１に示されるように、板材Ｂの設置孔Ｈを挿通できる円筒部１０の後端に中央通孔１１を有すると共に設置孔Ｈを閉塞する大きさの円板部１２が固着されて形成されている。円筒部１０の前端には拡開型アンカー１の基部棒片８を直径方向に嵌合する深い凹状切欠１３，１３および浅い凹状切欠１４，１４が拡開型アンカー１の正規装着位置を確保するため形成されている。一組の深い凹状切欠１３，１３は、図１０に示されるように薄い板材Ｂに対応するように円筒部１０の中心に対称な周上に形成されており、また一組の浅い凹状切欠１４，１４は、図１１に示されるように厚い板材Ｂに対応するように一組の深い凹状切欠１３，１３と周上等距離をおいて形成されている。そして軟質の板材Ｂが張設されている場合に、取付螺子４の締め付けによって生じる拡開型アンカー１における基部棒片８および腕片９の板材Ｂに対する過度の食い込みを、基部棒片８が深い凹状切欠１３，１３の底縁又は浅い凹状切欠１４，１４の底縁に当接することによって制限することができる。またスペーサ２の中央部分後方には、後述する台座３との相対的位置を正確に保持するために中央通孔１１を含んだ円形凹陥部１５が形成されている。
【００１７】
スペーサ２には台座３が被冠される。台座３は通常円盤状外形をなし、力学的耐力を有するように厚肉に形成され、中央透孔１６が穿設されると共にスペーサ２の円板部１２を嵌入する円形凹部１７が前方に凹設されており、被冠した場合にスペーサ２と台座３との相対的位置が保持できるようにされている。またスペーサ２との相対的位置を更に正確に保持するために中央部分前方には肉厚まで突出した中央透孔１６を含む突出円筒部１８が突設され、被冠時にスペーサ２の円形凹陥部１５に嵌合するようにされている。台座３における円形凹部１７の外周には環状凹部１９が凹設されており、環状凹部１９には環状をなすパッキング６が嵌合されて、設置時に支持装置箇所の防水を確保するようにされている。さらに図１０および図１１に示されるように、中央透孔１６の中心に対称な透孔周縁上の対向する位置には一対の誘導紐５，５を嵌合させる一組の誘導溝２０，２０が形成されている。
【００１８】
被支持部材Ｌの一例として手摺が記載されているが、手摺端部には取付孔Ｔが穿孔された取付突縁Ｅが形成されている。被支持部材Ｌの取付工程で、前記したように拡開型アンカー１を板材Ｂの裏側に設置した後には、図８に示されるようにスペーサ２を設置孔に装着する作業が行われる。スペーサ２の中央通孔１１に誘導紐５、５を通過させると共に、誘導紐５、５を操作して板材Ｂの厚さに応じて、深い凹状切欠１３，１３または浅い凹状切欠１４，１４を選択して拡開型アンカー１を嵌合させた上でスペーサ２を板材Ｂの設置孔Ｈに挿入する。そして拡開型アンカー１の長さ方向を被支持部材Ｌである手摺の長さ方向と垂直になるようにスペーサ２の軸回りの方向付けを行う。拡開型アンカー１の長さ方向を被支持部材Ｌである手摺の長さ方向と垂直とすることは、部材に過大な局部応力や変形を発生させることなしに手摺に加わる外力を板材Ｂに伝達させるために有効である。
【００１９】
次に台座３の環状凹部１９にパッキング６を嵌合させた状態で台座３の中央透孔１６に誘導紐５，５を挿通して、スペーサ２に台座３を被覆する。スペーサ２の円板部１２は台座３の円形凹部１７に嵌合され、またスペーサ２の円形凹陥部１５は台座３の突出円筒部１８に嵌合される。また既にスペーサ２の軸回りの方向付けによって位置が確定している誘導紐５，５は中央透孔１６の誘導溝２０、２０に嵌入させた上で必要に応じて手前側で仮止めされ切断される。誘導紐５，５の位置が手前側から認識できることは、最終的に拡開型アンカー１の長さ方向の角度が確認できることであり、誤った取付を防止することができる。被支持部材Ｌである手摺の取付突縁Ｅには手摺外形を揃える被覆部材Ｃが嵌合されているが、被支持部材Ｌの取付は被覆部材Ｃを取り外して行われる。台座３に被支持部材Ｌの取付突縁Ｅを当接させ、取付突縁Ｅにおける取付孔Ｔから取付螺子４を挿通し、台座３の中央透孔１６およびスペーサ２の中央通孔１１を経て拡開型アンカー１における垂直螺孔７に締め付けられ、被支持部材Ｌは板材Ｂに確実に取り付けられる。取付突縁Ｅにに被覆部材Ｃを再嵌合して取付作業を終了する。
【００２０】
このように本発明によれば、建造物躯体Ｓと板材Ｂとの間隔が狭く、拡開型アンカー１を板材Ｂの裏側に挿入するために稍広い設置孔Ｈを板材Ｂに穿孔しなければならない場合でも、その先端に拡開型アンカー１を嵌合するスペーサ２を設置孔Ｈに挿入することによって、拡開型アンカー１を偏った位置に配置させることなく、被支持部材Ｌの支持のために最適な位置を自動的に確保出来るので稍広い設置孔Ｈを設けたことによる取付強度の低下を招くことがない上に、拡開型アンカー１の方向を被支持部材Ｌの支持のために最適な角度に設定することが可能である。またスペーサ２に嵌合される厚肉の台座３は取付部付近の板材Ｂを補強し、被支持部材Ｌに加えられる応力を変形等の発生なしに板材Ｂに伝達させることができる。そしてスペーサ２の先端に一組の深い凹状切欠１３，１３と一組の浅い凹状切欠１４，１４との２種類を設ければ、板材の厚さに応じて拡開型アンカー１を正確に位置決めすることが可能である。
【００２１】
台座３の中央部分前方に台座３の肉厚まで突出した突出円筒部１８が形成され、スペーサ２における中央部分後方には突出円筒部１８を嵌合する円形凹陥部１５が形成される場合には、台座３とスペーサ２との相対的な配置をより正確に保持することができる。また台座３に環状凹部１９が凹設され、パッキング６が嵌合されれば、支持装置箇所の防水を確保できる。さらに台座３の中央透孔１６に一対の誘導紐５，５が嵌合する一組の誘導溝２０，２０が形成されている場合には、拡張型アンカー１の腕が延長する方角を台座３取付後に屋内側から容易に確認することができる。
【図面の簡単な説明】
【００２２】
【図１】取付状態における支持装置の斜視図である。
【図２】支持装置の分解斜視図である。
【図３】拡開型アンカーの斜視図である。
【図４】視点を変えた拡開型アンカーの斜視図である。
【図５】拡開型アンカーを板材に挿入する第１工程を示す縦断面図図である。
【図６】拡開型アンカーを板材に挿入する第２工程を示す縦断面図である。
【図７】拡開型アンカーを板材に挿入する第３工程を示す縦断面図である。
【図８】拡開型アンカーを板材に挿入する第４工程を示す縦断面図である。
【図９】視点を変えた支持装置の分解斜視図である。
【図１０】薄い板材を使用した場合における支持装置の縦断面図である。
【図１１】厚い板材を使用した場合における支持装置の縦断面図である。
【符号の説明】
【００２３】
１  拡開型アンカー
２  スペーサ
３  台座
４  取付螺子
５  誘導紐
６  パッキング
７  垂直螺孔
８  基部棒片
９  腕片
１０  円筒部
１１  中央通孔
１２  円板部
１３  深い凹状切欠
１４  浅い凹状切欠
１５  円形凹陥部
１６  中央透孔
１７  円形凹部
１８  突出円筒部
１９  環状凹部
２０  誘導溝
Ｈ  設置孔
Ｂ  板材
Ｓ  建造物躯体
Ｌ  被支持部材
Ｔ  取付孔
【図１】
2005133430.tif 000003
【図２】
2005133430.tif 000004
【図３】
2005133430.tif 000005
【図４】
2005133430.tif 000006
【図５】
2005133430.tif 000007
【図６】
2005133430.tif 000008
【図７】
2005133430.tif 000009
【図８】
2005133430.tif 000010
【図９】
2005133430.tif 000011
【図１０】
2005133430.tif 000012
【図１１】
2005133430.tif 000013